(57)【要約】【課題】  外部スピーカからの音声出力の設定を可能とし、イヤホンが接続されていないときであっても、外部スピーカからの音声出力をユーザが任意に設定できる電子機器を実現すること。【解決手段】  メニュー表示からＴＶ出力先設定が選択されると（ａ）、ＴＶの音声を外部スピーカから出力するか否かの設定画面を表示する（ｂ）。この設定画面において、出力先設定として「ＯＮ」が選択・設定されると、外部スピーカに音声信号を出力し（ｃ）、出力先設定として「ＯＦＦ」が選択・設定されると、外部スピーカからの音声出力をしない（ｄ）。【選択図】図９
2005175925.tif 000002
【特許請求の範囲】
【請求項１】
スピーカと、イヤホンジャックと、テレビ放送受信部とを備え、テレビ放送受信部で受信したテレビ放送の音声信号をスピーカ及びイヤホンジャックに出力可能な電子機器において、
前記イヤホンジャックへのイヤホン接続の有無を検知する検知手段と、
前記スピーカからの音声出力の可否を設定するスピーカ設定手段と、
前記検知手段によりイヤホンが接続されていると検知された場合、スピーカへは音声信号を出力せずにイヤホンジャックに音声信号を出力し、イヤホンが接続されていないと検知された場合、前記スピーカ設定手段によりスピーカからの音声出力が可と設定されていたときにはスピーカに音声信号を出力し、不可と設定されていたときにはスピーカへは音声信号を出力しないように音声信号の出力を制御する音声出力制御手段と、
を備えることを特徴とする電子機器。
【請求項２】
出力する音声の音量を設定する音量設定手段を更に備え、
前記音声出力制御手段は、前記音量設定手段により設定された音量が所定の基準音量を超える場合にはスピーカへは音声信号を出力しないように制御する所定音量制御手段を有する、
ことを特徴とする請求項１に記載の電子機器。
【請求項３】
スピーカと、イヤホンジャックと、テレビ放送受信部と、前記イヤホンジャックへのイヤホン接続の有無を検知する検知手段とを備えたコンピュータに、
前記スピーカからの音声出力の可否を設定するスピーカ設定機能と、
前記検知手段によりイヤホンが接続されていると検知された場合、スピーカへは音声信号を出力せずにイヤホンジャックに音声信号を出力し、イヤホンが接続されていないと検知された場合、前記スピーカ設定機能によりスピーカからの音声出力が可と設定されていたときにはスピーカに音声信号を出力し、不可と設定されていたときにはスピーカへは音声信号を出力しないように音声信号の出力を制御する音声出力制御機能と、
を実現させるためのプログラム。
【発明の詳細な説明】
【技術分野】
【０００１】
本発明は、スピーカと、イヤホンジャックと、テレビ放送受信部とを備え、テレビ放送受信部で受信したテレビ放送の音声信号をスピーカ及びイヤホンジャックに出力可能な電子機器等に関する。
【背景技術】
【０００２】
従来から、携帯用（ポータブル）テレビ（以下、テレビのことを「ＴＶ」という。）等の電子機器が知られている。携帯用ＴＶは、家庭等で利用される据え置き型ＴＶとは異なり、外出先等でＴＶを視聴することができる。
【０００３】
但し、他に人がいる喫茶店や電車の中等でＴＶを視聴する場合、外部スピーカでの音声出力は他人に迷惑がかかる。このため、イヤホンジャックにイヤホンを接続して、イヤホンで音声を聴くのが通常である。この場合、携帯用ＴＶは、イヤホンが接続されたことにより、外部スピーカからの音声出力を停止し、イヤホンからのみ音声を出力する。また、イヤホンジャックからイヤホンが外されると、外部スピーカから直ちに音声出力が開始される。
【０００４】
また、音声等の出力に関しては以下のような発明が知られている。すなわち、ＴＶが出力する音声の大きさは一定ではなく、番組や、放送局等によって大きさが異なるため、音声信号の大きさに応じて自動的に音声出力の大きさを変える発明である。この発明によれば、出力される音声の大きさが極端に大きくなるといったことを避けることができる（例えば、特許文献１、特許文献２参照）。
【特許文献１】特開平８−２２７２９４号公報
【特許文献２】特開平９−３７１７４号公報
【発明の開示】
【発明が解決しようとする課題】
【０００５】
近年、地上波アナログ放送にかわり地上波デジタル放送が実用化段階にある。地上波デジタル放送は、従来の地上波アナログ放送と異なり、変調方式としてＯＦＤＭ（Orthogonal Frequency Division Multiplexing：直交周波数分割多重方式）を利用することにより、複数の信号（電波）を多重化して送受信することができる。
【０００６】
ここで、変調方式として利用されるＯＦＤＭは、複数の信号を多重化できるだけではなく、建物の反射波により発生する多重像妨害（ゴースト）等に強く、移動受信時の遅延波による妨害に強いという特徴を持つ。従って、従来の地上波アナログ放送用テレビに比べて優れた映像を受像することが可能となる。この地上波デジタル放送が２００３年１２月から開始されることもあり、地上波デジタル放送用の家庭用ＴＶの他、携帯用ＴＶや自動車用ＴＶ等の開発が行われている。また、携帯電話においても地上波デジタル放送の受信機能を内蔵したものが開発されつつある。
【０００７】
しかし、音声出力については、従来と同様にイヤホンジャックにイヤホンが接続されているか否かでもって外部スピーカからの出力と、イヤホンからの出力を切り替える方法である。従って、ＴＶを視聴中に、誤ってイヤホンの接続が外れてしまうといった場合には、外部スピーカから音声が出力されてしまい、不都合な事態となり得る。特に、地上波デジタル放送の受信機能を内蔵した携帯電話の場合、電源を入れた状態（いわゆる、電話着信の待受状態）で洋服や鞄に収納して持ち運ぶため、誤ってＴＶのスイッチが押されてしまうという場合がある。この場合、イヤホンが接続されていないと、唐突にＴＶの音声が外部スピーカから出力されてしまい、不都合な事態となり得る。
【０００８】
そこで、上記課題に鑑み、本発明は、外部スピーカからの音声出力の設定を可能とし、イヤホンが接続されていないときであっても、外部スピーカからの音声出力をユーザが任意に設定できる電子機器を提供するものである。
【課題を解決するための手段】
【０００９】
以上の課題を解決するために、請求項１に記載の発明の電子機器は、
スピーカ（例えば、図２の外部スピーカ９８）と、イヤホンジャック（例えば、図２のイヤホンジャック９０）と、テレビ放送受信部（例えば、図２のＴＶ部５０）とを備え、テレビ放送受信部で受信したテレビ放送の音声信号をスピーカ及びイヤホンジャックに出力可能な電子機器において、
前記イヤホンジャックへのイヤホン接続の有無を検知する検知手段（例えば、図２の接続検知部９５）と、
前記スピーカからの音声出力の可否を設定するスピーカ設定手段（例えば、図２のＣＰＵ１０；図７のステップＳ４１２）と、
前記検知手段によりイヤホンが接続されていると検知された場合、スピーカへは音声信号を出力せずにイヤホンジャックに音声信号を出力し、イヤホンが接続されていないと検知された場合、前記スピーカ設定手段によりスピーカからの音声出力が可と設定されていたときにはスピーカに音声信号を出力し、不可と設定されていたときにはスピーカへは音声信号を出力しないように音声信号の出力を制御する音声出力制御手段（例えば、図２のＣＰＵ１０；図５のステップＳ２１２）と、
を備えることを特徴とする。
【００１０】
また、請求項３に記載のプログラムは、
スピーカ（例えば、図２の外部スピーカ９８）と、イヤホンジャック（例えば、図２のイヤホンジャック９０）と、テレビ放送受信部（例えば、図２のＴＶ部５０）と、前記イヤホンジャックへのイヤホン接続の有無を検知する検知手段（例えば、図２の接続検知部９５）とを備えたコンピュータに、
前記スピーカからの音声出力の可否を設定するスピーカ設定機能（例えば、図２のＣＰＵ１０；図７のステップＳ４１２）と、
前記検知手段によりイヤホンが接続されていると検知された場合、スピーカへは音声信号を出力せずにイヤホンジャックに音声信号を出力し、イヤホンが接続されていないと検知された場合、前記スピーカ設定機能によりスピーカからの音声出力が可と設定されていたときにはスピーカに音声信号を出力し、不可と設定されていたときにはスピーカへは音声信号を出力しないように音声信号の出力を制御する音声出力制御機能（例えば、図２のＣＰＵ１０；図５のステップＳ２１２）と、
を実現させることを特徴とする。
【００１１】
請求項１又は３に記載の発明によれば、イヤホンが接続されている場合には、スピーカではなくイヤホンジャックに音声信号を出力し、イヤホンが接続されていない場合には、ユーザの設定に応じてスピーカに音声信号を出力する。すなわち、イヤホンが接続されていないと検知された場合、スピーカからの音声出力が可と設定されていたときにはスピーカに音声信号を出力し、不可と設定されていたときには、スピーカへは音声信号を出力しないようにする。従って、ユーザにより誤ってイヤホンが外れた場合であっても、音声信号がスピーカから出力されてしまうといったことを回避することができる。
【００１２】
請求項２に記載の発明は、請求項１に記載の電子機器において、
出力する音声の音量を設定する音量設定手段（例えば、図２のＣＰＵ１０；図６のステップＳ３１８、ステップＳ３２２）を更に備え、
前記音声出力制御手段は、前記音量設定手段により設定された音量が所定の基準音量を超える場合にはスピーカへは音声信号を出力しないように制御する所定音量制御手段（例えば、図２のＣＰＵ１０；図５のステップＳ２１０）を有する、
ことを特徴とする。
【００１３】
請求項２に記載の発明によれば、設定された音量が所定の基準音量を超える場合には、スピーカから音声信号を出力しない。従って、ユーザは、イヤホンが外れた場合であっても、所定の基準音量を超えるような大きな音声がスピーカから出力されてしまうといったことを回避することができる。
【発明の効果】
【００１４】
請求項１又は３に記載の発明によれば、イヤホンが接続されている場合には、スピーカではなくイヤホンジャックに音声信号を出力し、イヤホンが接続されていない場合には、ユーザの設定に応じてスピーカに音声信号を出力する。すなわち、イヤホンが接続されていないと検知された場合、スピーカからの音声出力が可と設定されていたときにはスピーカに音声信号を出力し、不可と設定されていたときには、スピーカへは音声信号を出力しないようにする。従って、ユーザにより誤ってイヤホンが外れた場合であっても、音声信号がスピーカから出力されてしまうといったことを回避することができる。
【００１５】
請求項２に記載の発明によれば、設定された音量が所定の基準音量を超える場合には、スピーカから音声信号を出力しない。従って、ユーザは、イヤホンが外れた場合であっても、所定の基準音量を超えるような大きな音声がスピーカから出力されてしまうといったことを回避することができる。
【発明を実施するための最良の形態】
【００１６】
以下、デジタルＴＶ放送を受信する受信装置を内蔵した携帯電話に本発明を適用した場合の実施の形態について図面を参照して詳細に説明する。但し、本発明が適用可能なものはこれに限定されるものではない。
【００１７】
［１．全体構成］
図１は、携帯電話１の概観図である。携帯電話１には、ディスプレイ３と、入力スイッチ群５と、携帯用アンテナ４５と、ＴＶ用アンテナ５５と、電話用スピーカ８０と、電話用マイク８５と、イヤホンジャック９０と、外部スピーカ９８とを備えて構成されている。
【００１８】
ここで、入力スイッチ群５には、数字スイッチ（ボタン）等の他に、メニュースイッチ５ａと、ＴＶスイッチ５ｂと、カーソルスイッチ５ｃと、スピーカスイッチ５ｄと、決定スイッチ５ｅと、オフフックスイッチ５ｆと、クリアスイッチ５ｇと、オンフックスイッチ５ｈとを有して構成されている。詳細は後述するが、それぞれのスイッチについて簡単に説明する。
【００１９】
メニュースイッチ５ａは、ディスプレイ３にメニューを表示するためのスイッチである。ユーザは、表示されたメニューの中から項目を選択すると、選択した項目に対応する機能が実行される。ＴＶスイッチ５ｂは、携帯電話に内蔵されているＴＶ機能を実行するためのスイッチである。カーソルスイッチ５ｃは、上下左右の４方向の入力を検知可能なスイッチである。スピーカスイッチ５ｄは、外部スピーカ９８からの音声出力のＯＮ、ＯＦＦを切り替えるスイッチである。決定スイッチ５ｅは、ユーザにより選択された項目等の選択が決定されるスイッチである。オフフックスイッチ５ｆは、電話回線に接続するためのスイッチである。クリアスイッチ５ｇは、選択した項目、機能などを取り消すためのスイッチである。オンフックスイッチ５ｈは、電話回線を切断するためのスイッチである。
【００２０】
［１．１  携帯電話の構成］
ここで、携帯電話１について説明する。図２は、携帯電話１のブロック図である。同図に示すように、携帯電話１は、ＣＰＵ（Central Processing Unit）１０と、ＲＯＭ（Read Only Memory）２０と、ＲＡＭ（Random Access Memory）３０と、ＲＦ（Radio Frequency）ブロック４０と、携帯用アンテナ４５と、ＴＶ部５０と、表示部６０と、入力部７０と、電話用スピーカ８０と、電話用マイク８５と、イヤホンジャック９０と、接続検知部９５と、外部スピーカ９８とを備えて構成されている。
【００２１】
［１．２  記憶領域］
ＲＯＭ２０は、各種初期設定、ハードウェアの検査、あるいは必要なプログラムのロード等を行うための初期プログラムを格納する読み出し専用メモリである。ＣＰＵ１０は、携帯電話１の電源投入時においてこの初期プログラムを実行することにより、携帯電話１の動作環境を設定する。
【００２２】
また、ＲＯＭ２０は、メニュー表示処理、各種設定処理、各種通信処理等の携帯電話１の動作に係る各種プログラムや、携帯電話１の備える種々の機能を実現するためのプログラム等を格納すると共に、携帯操作プログラム２０２と、着信プログラム２０４とを格納する。
【００２３】
ＲＡＭ３０は、ＣＰＵ１０が実行する各種プログラムや、これらのプログラムの実行にかかるデータ等を一時的に保持する随時書き込み可能なメモリである。本実施形態では、ＴＶ部設定情報３０２を記憶するための領域が確保されている。
【００２４】
ＴＶ部設定情報３０２は、ＴＶ部５０の動作に関する各種設定値が記憶されている。図３は、ＴＶ部設定情報３０２に記憶されている設定値を示すものである。図３に示すように、ＴＶ部設定情報３０２には、外部スピーカフラグと、音量と、ＴＶ部状態とを記憶している。外部スピーカフラグとは、「ＯＮ」と「ＯＦＦ」の値をとる情報であり、外部スピーカ９８から、音声を出力するか否かを判定する為にＣＰＵ１０が利用する情報である。また、音量とは、外部スピーカ９８又はイヤホンジャック９０に接続されたイヤホンから出力される音量（音の大きさ）を表し、整数で「０」から「９」の１０段階を記憶している。また、ＴＶ部状態とは、ＴＶ部５０が動作しているか否かを記憶する情報であり、「ＯＮ」と、「ＯＦＦ」と、「一時ＯＦＦ」の内、何れかの値をとる。
【００２５】
［１．３  ＣＰＵ］
ＣＰＵ１０は、入力される指示に応じて所定のプログラムに基づいた処理を実行し、各機能部への指示やデータの転送を行う中央演算装置である。具体的には、ＣＰＵ１０は、入力部７０から入力される操作信号に応じてＲＯＭ２０に格納されたプログラムを読み出し、当該プログラムに従って処理を実行する。そして、表示制御信号を適宜表示部６０に出力して、処理結果を表示させる。
【００２６】
尚、本実施形態におけるＣＰＵ１０は、ＤＳＰ（Digital Signal Processor）を内蔵するとしても良いし、ソフト的にＤＳＰとして機能することとしてもよい。ＤＳＰとは、デジタル信号処理用プロセッサのことであり、音声信号等を符号化したり、デジタルデータを復号して音声データを抽出する。
【００２７】
さらに、ＣＰＵ１０は、本実施形態において、ＲＯＭ２０の携帯操作プログラム２０２に従った、携帯操作処理（図４〜７参照）を実行すると共に、携帯電話に電話が着信した際の割り込みが発生した場合には、着信プログラム２０４に従った、着信処理（図８参照）を実行する。
【００２８】
具体的には、ＣＰＵ１０は、携帯操作処理において、携帯電話１からの発信処理を実行すると共に、ＴＶ放送を受信する処理を実行する。また、ＣＰＵ１０は、外部スピーカフラグがＯＮの場合には、ＴＶ部５０で受信された音声データを外部スピーカ９８から出力する。また、ＣＰＵ１０は、外部スピーカフラグがＯＦＦであり、ＴＶ部設定情報３０２に記憶された音量が所定音量値（例えば、「３」）以下の場合には、音声データを外部スピーカ９８から出力する。さらに、ＣＰＵ１０は、外部スピーカフラグがＯＦＦであるか、又はＯＮではあるがＴＶ部設定情報３０２に記憶された音量が所定音量値を超えている場合には、イヤホンが装着されていないときには外部スピーカ９８からの音声出力を行わない。
【００２９】
また、ＣＰＵ１０は、着信処理において、着信時にＴＶ部５０の電源がＯＮとなっている場合には、ＴＶ部５０を一時的にＯＦＦにする。そして、ＣＰＵ１０は、携帯の会話が終話した段階で、ＴＶ部５０を再びＯＮにする。
【００３０】
［１．４  ＴＶ部］
ＴＶ部５０は、地上波デジタルＴＶ放送を受信するための回路ブロックである。ＴＶ部５０は、チューナー部５０ａと、ＯＦＤＭ復調部５０ｂと、映像復号部５０ｃと、音声復号部５０ｄと、ＴＶ用アンテナ５５とを備えて構成されている。
【００３１】
チューナー部５０ａは、ＴＶ用アンテナ５５を同調させることによって、ユーザにより指定されたチャンネルに対応する周波数の信号を受信し、ＯＦＤＭ復調部５０ｂに出力する回路部である。簡単に動作を説明すると、まず、ユーザにより放送局が選局されると、チューナー部５０ａは、選局された放送局のチャンネルに対応する周波数に同調することでＴＶ用アンテナ５５によって当該チャンネルに対応する信号を受信する。そして、受信した信号（ＯＦＤＭ変調信号）を、ＯＦＤＭ復調部５０ｂに出力する。
【００３２】
ＯＦＤＭ復調部５０ｂは、チューナー部５０ａから出力されたＯＦＤＭ変調信号を復調し、映像復号部５０ｃ及び音声復号部５０ｄに出力する回路部である。ＯＦＤＭ変調信号を復調する方法は公知であるが、簡単に説明すると、ＯＦＤＭ復調部５０ｂは、チューナー部５０ａから入力されたＯＦＤＭ変調信号をＡＤ（Analog to Digital）変換してデジタル信号に変換する。そして、変換されたデジタル信号に対し、同期処理、ＦＦＴ演算（Fast Fourier Transform）、誤り訂正処理を実行することによりＴＳ（Transport Stream：トランスポート・ストリーム）を抽出する。そして、抽出されたＴＳから映像信号と音声信号とを分離し、映像信号を映像復号部５０ｃに、音声信号を音声復号部５０ｄに出力する。
【００３３】
映像復号部５０ｃは、入力された映像信号を復号し、表示部６０に出力する。また、音声復号部５０ｄは、入力された音声信号を復号し、イヤホンジャック９０又は外部スピーカ９８に出力する。ここで、映像信号又は音声信号はＭＰＥＧ（Moving Picture Experts Group）等の何れかの公知技術で符号化されており、符号化された方式に対応する復号方式で復号する。
【００３４】
イヤホンジャック９０は、音声復号部５０ｄから出力された音声信号を、接続されたイヤホンに出力する。ここで、イヤホンジャック９０は、接続検知部９５に監視されている。接続検知部９５は、イヤホンジャック９０にイヤホンが接続されたことを検知すると、イヤホンが接続されたことをＣＰＵ１０に出力する。
【００３５】
［１．５  電話部］
電話部は、本実施形態における携帯電話の送受信の機能を実現するための回路部であり、ＲＦブロック４０と、携帯用アンテナ４５と、電話用スピーカ８０と、電話用マイク８５を中心に構成されている。
【００３６】
ここで、ＲＦブロック４０は、携帯電話の信号を送受信するための回路部である。ＣＰＵ１０は、携帯用アンテナ４５で受信された携帯用信号を、ＲＦブロック４０で復調し、ＣＰＵ１０が音声信号を復号して、電話用スピーカ８０に出力する。また、ＣＰＵ１０は、電話用マイク８５から入力された音声信号を、ＣＰＵ１０が符号化して、ＲＦブロック４０において携帯用信号として変調し、携帯用アンテナ４５から送信する。ここで、携帯用信号とは、携帯電話１が音声信号や、データ信号を送受信するために使用する無線信号であり、無線信号の変復調方式としては、ＰＤＣ（Personal Digital Cellular）方式、ＣＤＭＡ（Code Division Multiple Access）方式、ＧＳＭ（Global System for Mobile communication ）方式等の各種公知技術の何れを利用することとしてもよい。
【００３７】
［１．６  表示部及び入力部］
表示部６０は、ＣＰＵ１０から出力される表示信号に基づいて各種画面を表示したり、ＴＶ部５０から出力されるＴＶ映像を表示するものであり、ＬＣＤ（Liquid Crystal Display）等により構成される。なお、この表示部６０は、図１に示すディスプレイ３に相当する。
【００３８】
入力部７０は、数値や文字等の入力や、機能選択などに必要なスイッチ（ボタン）を備えた入力装置であり、押下されたスイッチの信号をＣＰＵ１０に出力する。この入力部７０におけるスイッチの入力により、処理の実行などを指示する制御命令の入力手段が実現される。なお、この入力部７０は、図１に示す入力スイッチ群５に相当するが、スイッチに限られる物ではなく、例えばタッチパネル等であっても実現可能である。
【００３９】
［２．動作例］
［２．１  携帯操作処理］
まず、携帯操作処理について説明する。図４〜７は、携帯操作処理に係る携帯電話１の動作を説明するためのフローチャートである。この携帯操作処理は、ＣＰＵ１０が、ＲＯＭ２０に記憶された携帯操作プログラム２０２を実行することによって実現される処理である。
【００４０】
まず、携帯電話１の電源が投入されると、ＣＰＵ１０は、初期動作（イニシャライズ）を実行する（ステップＳ１００）。ここで、初期動作とは、内部メモリの初期化、携帯電話基地局からの初期情報の送受信等をいう。
【００４１】
つぎに、ＣＰＵ１０は、表示部６０に待受画面を表示する（ステップＳ１０２）。待受画面とは、ユーザからの入力を待機する画面であり、画像、時計、カレンダー等が表示される。
【００４２】
そして、ＣＰＵ１０は、オフフックスイッチ５ｆが押下されてＯＮの状態になったか否かを判定する（ステップＳ１０４）。それから、ＣＰＵ１０は、電話番号が入力スイッチ群５から入力されると（ステップＳ１０６）、入力された番号に基づいて発信を行う（ステップＳ１０８）。そして、ＣＰＵ１０は、呼出し処理を実行し（ステップＳ１１０）、接続が完了したか否かを判定する（ステップＳ１１２）。
【００４３】
そして、ＣＰＵ１０は、接続が完了したと判定すると（ステップＳ１１２；Ｙｅｓ）、通話処理を実行する（ステップＳ１１４）。通話処理が実行されている間に、オンフックスイッチ５ｈが押下されると（ステップＳ１１６；Ｙｅｓ）、ＣＰＵ１０は、終話処理を実行し（ステップＳ１１８）、図５のステップＳ２００に処理を移行する。
【００４４】
また、図４のステップＳ１０４において、オフフックスイッチ５ｆが押下されない場合も、ＣＰＵ１０は、同様に図５のステップＳ２００に処理を移行する。
【００４５】
続いて、ＣＰＵ１０は、ＴＶスイッチ５ｂが押下されたか否かを判定する（ステップＳ２００）。ここで、ＴＶスイッチ５ｂが押下されていない場合には（ステップＳ２００；Ｎｏ）、ＣＰＵ１０は、図４のステップＳ１０２に処理を移行する。
【００４６】
他方、ＴＶスイッチ５ｂが押下されたことを検知すると（ステップＳ２００；Ｙｅｓ）、ＣＰＵ１０は、ＴＶ部５０の電源を投入する（ステップＳ２０２）。すると、ＣＰＵ１０は、ＴＶ部５０から受信された画像信号を表示部６０に出力する（ステップＳ２０４）。
【００４７】
次に、ＣＰＵ１０は、ＴＶ部設定情報３０２から、外部スピーカフラグの設定値を読み取る（ステップＳ２０６）。ここで、ＴＶ部設定情報３０２に記憶されている外部スピーカフラグが「ＯＮ」であれば（ステップＳ２０６；Ｙｅｓ）、ＣＰＵ１０は、ＴＶ部５０で受信された音声信号を外部スピーカ９８と、イヤホンジャック９０を介してイヤホンに出力する（ステップＳ２０８）。
【００４８】
一方、ＴＶ部設定情報３０２に記憶されている外部スピーカフラグが「ＯＦＦ」である場合には（ステップＳ２０６；ＮＯ）、ＴＶ部設定情報３０２に記憶されている音量の値が、所定音量値（例えば、「３」）以下か否かを判定する（ステップＳ２１０）。ここで、音量が所定音量値以下と判定した場合には（ステップＳ２１０；Ｙｅｓ）、ＣＰＵ１０は、ＴＶ部５０で受信された音声信号を外部スピーカ９８と、イヤホンジャック９０を介してイヤホンに出力する（ステップＳ２０８）。
【００４９】
また、ＴＶ部設定情報３０２に記憶されている音量が、所定音量値「３」以下になっていない場合には（ステップＳ２１０；Ｎｏ）、ＣＰＵ１０は、接続検知部９５による検知結果を判定する（ステップＳ２１２）。
【００５０】
ここで、接続検知部９５から、イヤホンが接続されているとＣＰＵ１０に信号が入力されると（ステップＳ２１２；Ｙｅｓ）、ＴＶ部５０で受信された音声信号を、イヤホンジャック９０にのみ出力する（ステップＳ２１４）。また、ＣＰＵ１０は、イヤホンがイヤホンジャック９０に接続されていないと接続検知部９５から信号が入力されると（ステップＳ２１２；Ｎｏ）、ＣＰＵ１０は、ＴＶ部５０で受信された音声データの出力を行わない。
【００５１】
次に、ＣＰＵ１０は、メニュースイッチ５ａが押下されたか否かを判定する（ステップＳ２１６）。ＣＰＵ１０は、メニュースイッチが押下されたと判定すると（ステップＳ２１６；Ｙｅｓ）、メニュー画面を現在の画面に重ねて表示する（ステップＳ２１８）。そして、ＣＰＵ１０は、表示されているメニューの一つの項目にフォーカスを表示する（ステップＳ２２０）。そして、ＣＰＵ１０は、図６のステップＳ３００に処理を移行する。
【００５２】
ここで、ＣＰＵ１０は、メニュースイッチ５ａが押下されていないと判定した場合には（ステップＳ２１６；Ｎｏ）、再度ＴＶスイッチ５ｂが押下され、ＴＶ部５０を「ＯＦＦ」にする入力が有るか否かを判定する（ステップＳ２２２）。ここで、ＴＶスイッチ５ｂが押下されると（ステップＳ２２２；Ｙｅｓ）、ＣＰＵ１０は、ＴＶ部５０への電源を切断し（ステップＳ２２４）、図４のステップＳ１０２に処理を移行する。他方、ＴＶスイッチ５ｂが押下されなかったと判定すると（ステップＳ２２２；Ｎｏ）、ＣＰＵ１０は、ステップＳ３００に処理を移行する。
【００５３】
次に、ＣＰＵ１０は、ＴＶ部設定情報３０２に記憶されている外部スピーカフラグを読み出し、外部スピーカフラグが「ＯＦＦ」で無ければ（ステップＳ２３０；Ｎｏ）、再びステップＳ２０４から処理を実行する。また、外部スピーカフラグが「ＯＦＦ」の場合に、スピーカスイッチ５ｄが押下されたと判定すると（ステップＳ２３２；Ｙｅｓ）、ＴＶ部設定情報３０２に記憶されている外部スピーカフラグを「ＯＮ」に更新する（ステップＳ２３４）。
【００５４】
また、ステップＳ２２０の処理の後、ＣＰＵ１０は、メニュー画面が表示されているか否かを判定する（ステップＳ３００）。ここで、メニュー画面が表示されていない場合には、ＣＰＵ１０は、ステップＳ２３０に処理を移行する（ステップＳ３００；Ｎｏ）。
【００５５】
一方、メニュー画面が表示されている場合には（ステップＳ３００；Ｙｅｓ）、ＣＰＵ１０はカーソルスイッチ５ｃの入力に合わせて、カーソル位置を移動する（ステップＳ３０２；Ｙｅｓ→ステップＳ３０４）。
【００５６】
次に、ＣＰＵ１０は、決定スイッチ５ｅが押下されたか否かを判定する（ステップＳ３０６）。ここで、決定スイッチ５ｅが押下されていないと判定した場合には（ステップＳ３０６；Ｎｏ）、ＣＰＵ１０は、クリアスイッチ５ｇが押下されたか否かを判定する（ステップＳ３１０）。そして、クリアスイッチ５ｇが押下されたと判定した場合には（ステップＳ３０８；Ｙｅｓ）、ＣＰＵ１０はメニュー画面を消去し（ステップＳ３１０）、処理をステップＳ２３０に移行する。
【００５７】
一方、決定スイッチ５ｅが押下された場合には（ステップＳ３０６；Ｙｅｓ）、ＣＰＵ１０はフォーカス位置が「ＴＶ音量」に有るか否かを判定する（ステップＳ３１２）。ここで、ＣＰＵ１０は、フォーカス位置が「ＴＶ音量」で無いと判定した場合には（ステップＳ３１２；Ｎｏ）、後述するステップＳ４００に処理を移行する。
【００５８】
また、ＣＰＵ１０は、フォーカス位置が「ＴＶ音量」であると判定した場合には（ステップＳ３１２；Ｙｅｓ）、ＴＶ音量変更画面を表示部６０に表示する（ステップＳ３１４）。次に、ＣＰＵ１０は、現在の音量を、ＴＶ部設定情報３０２から読み出し、表示部６０に表示する（ステップＳ３１６）。ここで、カーソルスイッチ５ｃの上方向が入力された場合には（ステップＳ３１８；Ｙｅｓ）、「９」を上限としてＴＶ音量の値に「１」加算し、音量を増加させる（ステップＳ３２０）。また、カーソルスイッチ５ｃの下方向が入力された場合には（ステップＳ３１８；Ｎｏ→ステップＳ３２２；Ｙｅｓ）、「０」を下限としてＴＶ音量の値から「１」減算し、音量を減少させる（ステップＳ３２４）。そして、ＣＰＵ１０は、処理をステップＳ３１６に移行する。
【００５９】
そして、カーソルスイッチ５ｃが押下されていない場合には（ステップＳ３１８；Ｎｏ→ステップＳ３２２；Ｎｏ）、ＣＰＵ１０は、クリアスイッチ５ｇが押下されたか否かを判定する（ステップＳ３２６）。ここで、クリアスイッチ５ｇが押下されていない場合には（ステップＳ３２６；Ｎｏ）、ＣＰＵ１０は、ステップＳ３１６に処理を移行する。他方、クリアスイッチ５ｇが押下されている場合には（ステップＳ３２６；Ｙｅｓ）、ＣＰＵ１０は、ＴＶ音量変更画面を表示部６０から消去する（ステップＳ３２８）。
【００６０】
ステップＳ３１２において、フォーカス位置が「ＴＶ音量」ではないと判定した場合、ＣＰＵ１０は、フォーカス位置が「出力先設定」にあるか否かを判定する（ステップＳ４００）。ここで、フォーカス位置が、「出力先設定」でない場合には（ステップＳ４００；Ｎｏ）、ＣＰＵ１０は、その他の処理を実行し（ステップＳ４０２）、処理を図５のステップＳ２１８に移行する。
【００６１】
また、フォーカス位置が「出力先設定」にある場合には（ステップＳ４００；Ｙｅｓ）、ＣＰＵ１０は、ＴＶ出力先設定画面を表示部６０に表示する（ステップＳ４０４）。次に、ＴＶ部設定情報３０２に外部スピーカフラグが「ＯＮ」と記憶されている場合には（ステップＳ４０６；Ｙｅｓ）、ＣＰＵ１０は、表示部６０に表示されているＴＶ出力先設定画面のＯＮ側ボタンを選択表示する（ステップＳ４０８）。他方、ＴＶ部設定情報３０２に外部スピーカフラグが「ＯＦＦ」と記憶されている場合には（ステップＳ４０６；Ｎｏ）、ＣＰＵ１０は、表示部６０に表示されているＴＶ出力先設定画面のＯＦＦ側ボタンを選択表示する（ステップＳ４１０）。
【００６２】
次に、カーソルスイッチ５ｃの上下方向が入力された場合には（ステップＳ４１２；Ｙｅｓ）、選択表示位置を変更する（ステップＳ４１４）。そして、選択表示されているのが「ＯＮ」側である場合には（ステップＳ４１６；Ｙｅｓ）、ＣＰＵ１０は、外部スピーカフラグを「ＯＮ」としてＴＶ部設定情報３０２に記憶する（ステップＳ４１８）。他方、選択表示されているのが「ＯＦＦ」側である場合には（ステップＳ４１６；Ｎｏ）、ＣＰＵ１０は、外部スピーカフラグを「ＯＦＦ」としてＴＶ部設定情報３０２に記憶する（ステップＳ４２０）。
【００６３】
そして、クリアスイッチ５ｇが押下された場合には（ステップＳ４２２；Ｙｅｓ）、ＣＰＵ１０は、表示部６０に表示されたＴＶ出力先設定画面を消去し（ステップＳ４２４）、図５のステップＳ２１８に処理を移行する。また、クリアスイッチ５ｇが押下されていない場合には（ステップＳ４２２；Ｎｏ）、ＣＰＵ１０は、ステップＳ４１２に処理を移行する。
【００６４】
［２．２  着信処理］
次に、着信処理について説明する。図８は、着信処理に係る携帯電話１の動作を説明するためのフローチャートである。この着信処理は、ＣＰＵ１０が、ＲＯＭ２０に記憶された着信プログラム２０４を実行することによって実現される処理であるが、着呼時に割込処理として実行されるものである。
【００６５】
まず、ＣＰＵ１０は、ＴＶ部設定情報３０２からＴＶ部状態を読み出す。ここで、ＴＶ部状態が「ＯＮ」と記憶されている場合には（ステップＳ５００；Ｙｅｓ）、ＴＶ部を一時的に「ＯＦＦ」にし、ＴＶ部設定情報３０２のＴＶ部状態に「一時ＯＦＦ」と記憶する（ステップＳ５０２）。
【００６６】
次に、ＣＰＵ１０は、着信画面を表示部６０に表示し（ステップＳ５０４）、ＣＰＵ１０は、着信報知を行う（ステップＳ５０６）。ここで、着信報知とは、ユーザに対し着信があることを知らせるものであり、例えば着信音を外部スピーカ９８から出力したり、着信を示すランプを点滅させたりするものである。着信報知は、オンフックスイッチ５ｈが押下されるまで行われる（ステップＳ５０８；Ｎｏ）。
【００６７】
次に、オフフックスイッチ５ｆが押下されると（ステップＳ５０８；Ｙｅｓ）、ＣＰＵ１０は、通話処理を実行する（ステップＳ５１０）。そして、オンフックスイッチ５ｈが押下されると（ステップＳ５１２；Ｙｅｓ）、ＣＰＵ１０は、終話処理を実行する（ステップＳ５１４）。
【００６８】
そして、ＴＶ部設定情報３０２に記憶されているＴＶ部状態が「一時ＯＦＦ」である場合には（ステップＳ５１６；Ｙｅｓ）、「ＯＮ」に更新し、ＣＰＵ１０は、ＴＶ部５０をＯＮにして処理を終了する（ステップＳ５１８）。
【００６９】
［３．画面例］
次に、図９を用いて携帯電話１の動作について説明する。図９（ａ）は、メニュー画面が表示された表示画面Ｗ１００の一例を示した図である。図５のステップＳ２１６において、メニュースイッチ５ａが押下されたときに、表示部６０に表示される画面である。また、フォーカスＥ１００により、メニュー項目「ＴＶ出力先設定」が選択されている。
【００７０】
図９（ｂ）は、「ＴＶ出力先設定」が選択され、図７のステップＳ４０４においてＴＶ出力先設定画面が表示されたときの表示画面Ｗ１００の一例を示した図である。ここで、カーソルスイッチ５ｃの上下方向が押下されると、出力先設定として「ＯＮ」又は「ＯＦＦ」が切り替えられて選択される。図９（ｂ）においては、「ＯＮ」が選択されたことを示すラジオボタンＭ１００が表示されている。
【００７１】
図９（ｃ）及び（ｄ）は、実際の動作状態の一例を示す図である。（ｃ）は、外部スピーカフラグが「ＯＮ」の場合に、携帯電話１にイヤホンを接続しないでＴＶを表示した状態の図である。この場合、外部スピーカ９８からＴＶの音声信号が出力されている。（ｄ）は、外部スピーカフラグが「ＯＦＦ」の場合に、携帯電話１にイヤホンを接続しないでＴＶを表示した状態の図である。この場合、外部スピーカ９８からＴＶの音声信号は出力されず、無音状態となる。
【００７２】
このように、本実施の形態によれば、外部スピーカから音声を出力する設定となっていない場合には、イヤホンが接続されていないときであっても、ユーザによる音声出力の設定操作が為されるまでは、音声を外部スピーカから出力しない携帯電話を実現することができる。
【００７３】
［４．変形例］
上述した実施の形態では、デジタルＴＶ機能を内蔵した携帯電話を適用例として説明したが、本発明の電子機器は、携帯電話に限定されるものではなく、例えば、デジタルテレビ機能を内蔵したパソコン、カーナビゲーション、ＰＤＡ（Personal Digital  Assistants）等の電子機器全般に適用可能である。
【００７４】
また、図５のステップＳ２１０において、ＴＶ部設定情報３０２に記憶されている音量の値が、所定音量値以下か否かを判定した際の所定音量値は、携帯電話１が初期値として持っているものとして説明したが、これに限られるわけではなく、例えばユーザが設定するようにしても良いことは勿論である。この場合には、例えば電車の中では所定音量値を小さく設定し、公園では所定音量値を大きく設定する等、場所や環境に応じてユーザが設定することができる。
【００７５】
また、デジタルＴＶ機能を内蔵する携帯電話として説明したが、デジタルＴＶ機能に限られる訳ではなく、従来の地上波アナログ放送を受信するＴＶ機能を内蔵することとしても良いことは勿論である。
【図面の簡単な説明】
【００７６】
【図１】デジタルテレビ機能を内蔵した携帯電話の概観図。
【図２】携帯電話の構成図。
【図３】ＴＶ部設定情報の一例を示した図。
【図４】携帯操作処理の動作フローを示した図。
【図５】携帯操作処理の動作フローを示した図。
【図６】携帯操作処理の動作フローを示した図。
【図７】携帯操作処理の動作フローを示した図。
【図８】着信処理の動作フローを示した図。
【図９】実施形態の動作を示した図。
【符号の説明】
【００７７】
１  携帯電話
３  ディスプレイ
５  スイッチ群
５ａ  メニュースイッチ
５ｂ  ＴＶスイッチ
５ｃ  カーソルスイッチ
５ｄ  スピーカスイッチ
５ｅ  決定スイッチ
５ｆ  オフフックスイッチ
５ｇ  クリアスイッチ
５ｈ  オンフックスイッチ
１０  ＣＰＵ
２０  ＲＯＭ
２０２  携帯操作プログラム
２０４  着信プログラム
３０  ＲＡＭ
３０２  ＴＶ部設定情報
４０  ＲＦブロック
４５  携帯用アンテナ
５０  ＴＶ部
５０ａ  チューナー部
５０ｂ  ＯＦＤＭ復調部
５０ｃ  映像復号部
５０ｄ  音声復号部
５５  ＴＶ用アンテナ
６０  表示部
７０  入力部
８０  電話用スピーカ
８５  電話用マイク
９０  イヤホンジャック
９５  接続検知部
９８  外部スピーカ
【図１】
2005175925.tif 000003
【図２】
2005175925.tif 000004
【図３】
2005175925.tif 000005
【図４】
2005175925.tif 000006
【図５】
2005175925.tif 000007
【図６】
2005175925.tif 000008
【図７】
2005175925.tif 000009
【図８】
2005175925.tif 000010
【図９】
2005175925.tif 000011